(57)【要約】      （修正有）【課題】背もたれの腰支持部の高さ調整可能な装置を提供する。【解決手段】装置には、背もたれのフレーム１３の上方には背支持部１１と、背もたれのフレームの下方には、調整レバーを回して、回転されるようになるウォーム１５１と、それに噛み合わせる第一歯車１５２と、第一歯車に同軸かつ同時回転する第二歯車１５３と、背支持部の下方にある背もたれのフレームに上下スライド移動可能な腰支持部１２と、腰支持部の後ろに、第二歯車に噛み合わせるギアラック１２２とが設けられ、椅子に座った着座者が片手又は両手を後ろへ伸ばし、調整レバーを、正方向又は逆方向に回して、簡単に、腰支持部を上下に調整し、腰支持部の調整・操作がより簡単に行われ、調整後の腰支持部が移動しない。【選択図】図６
0003229180.tif 000002
【実用新案登録請求の範囲】
【請求項１】
背もたれのフレームの上方に設けられた背支持部と、
前記背支持部の下方に位置する背もたれのフレームにはスライド移動可能な腰支持部と、
前記腰支持部の後ろに設けられた縦向きのギアラックと、
前記ギアラックに対応したところの背もたれのフレームに設けられた、ギアラックに噛み合わせるための第二歯車と、
前記第二歯車には更に同軸かつ同時に回転する第一歯車と、が設けられ、
前記背もたれのフレームには収納スロットが設けられ、
前記収納スロット内には前記第一歯車及び第二歯車を固定するための支軸が設けられ、
前記背もたれのフレームには、横から収納スロットを貫通する調整レバーが更に設けられ、
前記調整レバーで、前記収納スロット内にある前記第一歯車に噛み合わせるウォームを貫通させて固定し、更に、調整レバーを回し、第一歯車と第二歯車とギアラックとによって腰支持部の位置を上下に調整することを特徴とする背もたれの腰支持部の高さ調整可能な装置。
【考案の詳細な説明】
【技術分野】
【０００１】
本考案は、背もたれに設けられた、背もたれのフレームに沿って上下にスライド移動可能、かつ着座者の腰部を支持する腰支持部と、背もたれのフレームには更に、ウォームに噛み合わせ、第二歯車と並ぶ第一歯車と、ウォームを貫通してユーザに回転される調整レバーと、腰支持部には第二歯車に噛み合わせるギアラックとが設けられ、調整レバーを回して、ウォームと第一歯車、第二歯車を回転させて、ギアラックを動かすことにより、腰支持部を上下に調整するように設けられる装置に関する。
【背景技術】
【０００２】
一般的なオフィスチェアでは、着座者の背中を預けるための背もたれは、着座者が背筋をまっすぐ伸ばすのに必要な力を減らし、長時間かつ心地よく座れるように設けられるのが目的である。背もたれには、着座者の背中を預ける背支持部のほかに、背支持部の下方に、着座者の腰部を支持するための腰支持部が増設し、座り心地のよさを高めるように設けられる。
【０００３】
背もたれに設けられる腰支持部は通常、固定されており、決まった高さに固定され、調整できないものであるため、着座者の身長差による腰部の高さにより、前記腰支持部からの支持を完全は得られない恐れがあり、腰支持部の本来の効果を発揮できない場合がある。
【０００４】
従来の特許文献では、登録特許ＣＮ２６１２２８８Ｙに掲示されたように、高さが上下調整可能な腰支持部が設けられ、腰支持部本体の両側には埋込フックが設けられ、それに対応するところの背もたれのフレームの両側には、埋込フックを嵌め込むための調整可能なロング溝が設けられ、即ち、埋込フックを、調整可能なロング溝を上下スライド移動させるためように設けられ、腰支持部本体は更に、強い締め付けの背もたれのメッシュ体に受けられ、力を入れず、腰支持部を調整しないとき、前記腰支持部が移動しないのに対し、上下に力を入れて腰支持部を動かすと、腰支持部が着座者の腰部に適した位置にスライド移動するように設けられる。
【０００５】
しかし、上述したような上下調整可能な腰支持部は、上下調整の時、着座者が両側から力を均等に入れる必要があり、傾斜などになりがちで、調整が難しくなるからであること。その調整は通常、着座者が椅子に座り、背もたれについてから、両手を後ろへ、腰支持部の両側まで伸ばし、力を入れて、腰支持部を、腰部を支持するのに適したところまで上下調整するが、両手を後ろへ伸ばして、力を入れて上下調整するには、両側に力を均等に入れるのが難しく、そこで、腰支持部が傾斜したりして、調整しにくくなるという問題がある。
【０００６】
腰支持部は、背もたれのメッシュ体の強い締付け力によって、位置決められ、移動しないように設けられるが、メッシュ体が長時間使用され、緩んだりすると、腰支持部を止める力が大幅に低下し、安定した位置決めができず、ないし位置決めができなくなり、下へ滑り落ちてしまうという問題がある。  
【先行技術文献】
【特許文献】
【０００７】
【特許文献１】中国特許登録２６１２２８８Ｙ号明細書
【考案の概要】
【考案が解決しようとする課題】
【０００８】
それゆえ、本考案は、上述した従来の知られている腰支持部の調整の難しさ、及び背もたれのメッシュ体の緩みによる滑り落ちという問題を解決するため、背もたれのフレームに、調整レバーの回転によって動かされるウォームと歯車とが設けられ、歯車を背もたれのフレームに設けられた、腰支持部の後ろにあるスライド移動可能なギアラックに噛み合わせるように設けられ、着座者が片手又は両手で、調整レバーを回すと、簡易に腰支持部を上下調整することができ、適した高さまで調整した後、腰支持部がスライド移動しないように設けられる装置を提供することを目的とする。
【課題を解決するための手段】
【０００９】
本実用新案の課題を解決しようとする技術として、背もたれのフレームの上方には背支持部、背支持部の下方にある背もたれのフレームにはスライド移動可能な腰支持部、前記腰支持部の後ろには縦向きのギアラック、前記ギアラックに対応したところの背もたれのフレームにはギアラックに噛み合わせるための第二歯車、  第二歯車には更に同軸かつ同時回転する第一歯車が設けられ、  背もたれのフレームには収納スロットが設けられ、前記収納スロット内には、前記第一歯車、第二歯車を固定するための支軸が設けられ、背もたれのフレームには更に、横から収納スロットを貫通する調整レバーが設けられ、調整レバーで、前記収納スロット内にある前記第一歯車に噛み合わせるウォームを貫通固定し、更に、調整レバーを回して、第一歯車、第二歯車とギアラックによって、腰支持部の位置を上下に調整するように設けられることを特徴とする背もたれの腰支持部の高さ調整可能な装置。
【考案の効果】
【００１０】
上述したように、本実用新案では、背もたれにおける着座者の腰部を支持する腰支持部が設けられ、調整レバーで、腰支持部の高さを簡易に調整するように設けられ、同一椅子における背もたれにある腰支持部を、着座者の身長差に応じて、適した高さに調整し、調整・操作が簡単、調整後の腰支持部がスライド移動しないように設けられる。
【００１１】
本実用新案について、図面と実施形態を合わせて、次のように更に説明する。
【図面の簡単な説明】
【００１２】
【図１】本実用新案の背もたれの立体図を示す。
【図２】本実用新案の背もたれの立体分解図を示す。
【図３】本実用新案の背もたれのもう一つの方向から見た立体分解図を示す。
【図４】本実用新案の背もたれの側面断面図を示す。
【図５】本実用新案の背もたれの腰支持部を上向きに調整する場合を示す模式図である。
【図６】本実用新案の背もたれの腰支持部を下向きに調整する場合を示す模式図である。
【考案を実施するための形態】
【００１３】
以下、図面及び本考案の実施例を開示しながら本考案の目的及び技術的な手段を詳しく説明する。
【００１４】
図１に示すように、本実用新案は、背もたれのフレーム１３の上方に設けられた背支持部１１と、背支持部１１の下方にある背もたれのフレーム１３に更に設けられた上下スライド可能な腰支持部１２と、それに対応したところの背もたれのフレーム１３に設けられた、腰支持部１２を上下調整するための調整レバー１４とを備えてなる背もたれ１である。
【００１５】
前記腰支持部１２を上下調整する構造は図２〜図４に示すように、腰支持部１２に対応したところの背もたれのフレーム１３に設けられた収納スロット１３１と、収納スロット１３１内に設けられた支軸１３３と、背もたれのフレーム１３の収納スロット１３１に対応したところの側面に設けられた貫通した支軸孔１３０と、収納スロット１３１内にあるウォーム１５１とを備えてなり、前記調整レバー１４は、支軸孔１３０を貫通して、横から収納スロット１３１内に入り、ウォーム１５を貫通、固定するための回転軸１４１と、回転軸１４１の両端から延伸された、簡易に操作可能な取っ手１４２とを備えてなり、一端又は両端の取っ手１４２を回すことにより、回転軸１４１でウォーム１５１を回らせるように設けられ、更に、並列かつ同時回転する第一歯車１５２と第二歯車１５３が設けられ、第一歯車、第二歯車１５２，１５３を収納スロット１３１内の支軸１３３に設けられ、ウォーム１５１を第一歯車１５２に噛み合わせるように設けられる。
【００１６】
腰支持部１２に対応したところの背もたれのフレーム１３にはそれぞれ、上下の両側に突出したガイド部１３２が設けられ、突出したガイド部１３２に対応したところの腰支持部１２には、スライドさせるためのガイド溝１２１が設けられ、更に、腰支持部１２をネジで、突出したガイド部１３２に締め付けて、腰支持部１２を、突出したガイド部１３２とガイド溝１２１によって、上下にスライド移動させるように設けられる。
【００１７】
背もたれのフレーム１３は、第二歯車１５３に対応したところの腰支持部１２の背面に設けられ、前記第二歯車１５３に噛み合わせ、縦向き配置のギアラック１２２が設けられ、それにより、第二歯車１５３の正方向又は逆方向の回転によって、前記ギアラック１２２を経由して、腰支持部１２を上下にスライド移動させるように設けられる。
【００１８】
図５と図６に示すように、着座者が椅子に座ったとき、片手又は両手を後ろへ、腰支持部１２の後ろまで伸ばし、簡単に、調整レバー１４の取っ手１４２を正方向又は逆方向に回して、回転軸１４１で、ウォーム１５１を正方向又は逆方向に回させるようにし、それに噛み合わせられた第一歯車１５２を、ギアラック１２２に噛み合わせる第二歯車１５３によって、腰支持部１２を上向き又は下向きに移動させ、腰部を支持するのに適した位置まで移動してから、動かないように設けられ、それで、操作の調整が完了する。
【００１９】
上述した操作方法により、着座者が片手又は両手で、腰支持部１２の位置を上下に調整することができ、傾斜することなく調整可能、調整後の腰支持部１２の位置がずれることなく、正しい位置づけを確保することができる。
【符号の説明】
【００２０】
１  背もたれ
１１  背支持部
１２  腰支持部
１２１  ガイド溝
１２２  ギアラック
１３  背もたれのフレーム
１３０  支軸孔
１３１  収納スロット
１３２  突出したガイド部
１３３  支軸
１４  調整レバー
１４１  回転軸
１４２  取っ手
１５１  ウォーム
１５２  第一歯車
１５３  第二歯車
【図１】
0003229180.tif 000003
【図２】
0003229180.tif 000004
【図３】
0003229180.tif 000005
【図４】
0003229180.tif 000006
【図５】
0003229180.tif 000007
【図６】
0003229180.tif 000008